(57)【要約】【課題】使い捨てカイロによる低温やけどを防止できることに加え、身体を部分的に冷却する際にも使用することができるサポーターを提供すること。【解決手段】内側生地部分と外側生地部分との二重構造部分を有するサポーター本体と、前記内側生地部分と前記外側生地部分との間のスペースに収納された発泡樹脂粒子と、携帯用加熱または冷却源を収納可能なように前記内側生地部分または前記外側生地部分に設けられたポケットとを備えたことを特徴とするサポーター。【選択図】図１（Ｂ）
2017166098.tif 000002
【特許請求の範囲】
【請求項１】
内側生地部分と外側生地部分との二重構造部分を有するサポーター本体と、前記内側生地部分と前記外側生地部分との間のスペースに収納された発泡樹脂粒子と、携帯用加熱または冷却源を収納可能なように前記内側生地部分または前記外側生地部分に設けられたポケットとを備えたことを特徴とするサポーター。
【請求項２】
前記発泡樹脂粒子を袋体内に密封して形成したパッドを備えると共に、前記内側生地部分と前記外側生地部分との間のスペースが前記パッドを出し入れ可能な別のポケットとして形成されている請求項１に記載のサポーター。
【請求項３】
前記内側生地部分と前記外側生地部分とが１枚の生地からなる請求項１または２に記載のサポーター。
【請求項４】
前記内側生地部分の一部に前記外側生地部分全体が縫い付けられ、かつ前記外側生地部分に前記ポケットが設けられている請求項１または２に記載のサポーター。
【請求項５】
前記外側生地部分の一部に前記内側生地部分全体が縫い付けられ、かつ前記内側生地部分に前記ポケットが設けられている請求項１または２に記載のサポーター。
【請求項６】
前記ポケットの開口部に面ファスナーが設けられている請求項１〜５のいずれか１つに記載のサポーター。
【請求項７】
人の額、首、肩、上腕、肘、前腕、手首、手の甲、胸、背中、腹、腰、太股、膝、臑、脹ら脛、足首または足の甲をサポート可能に構成された請求項１〜６のいずれか１つに記載のサポーター。
【請求項８】
前記加熱源が、使い捨てカイロである請求項１〜７のいずれか１つに記載のサポーター。
【請求項９】
前記冷却源が、保冷剤である請求項１〜７のいずれか１つに記載のサポーター。
【発明の詳細な説明】
【技術分野】
【０００１】
本発明はサポーターに関し、詳しくは身体の装着部分の加温と冷却を選択的に行えるサポーターに関する。
【背景技術】
【０００２】
特許文献１には、手袋内の手の甲側に市販の使い捨てカイロを収納するポケットを設け、寒中時の戸外における作業やレジャー等を行う際に手の甲および指に使い捨てカイロの熱を加えて血行不良やしもやけ等を抑制する防寒用手袋が提案されている。
【先行技術文献】
【特許文献】
【０００３】
【特許文献１】実開昭６０−１０５６１５号公報
【発明の概要】
【発明が解決しようとする課題】
【０００４】
市販の使い捨てカイロは平均温度５０〜５５℃で８時間以上持続するものが多く、最高温度が７０℃に達するものもある。
一方、低温やけどは、低温でも長時間同じ箇所を加温し続けると細胞が壊死してしまう症状であり、ある研究機関によると、低温やけどになる温度と時間の関係は、４３℃で１０時間以上、４４℃で３〜４時間以上、４５℃で１〜３時間以上、４６℃で３０分〜１時間程度、５０℃で２〜３分であると報告されている。
【０００５】
よって、特許文献１の防寒用手袋を使用者が手に装着した使用状態において、ポケットに収納した使い捨てカイロと手の甲との間は１枚の生地で隔てられているが、１枚の生地では使い捨てカイロの熱を十分に緩和することができず、手の甲が低温やけどする可能性が高い。
【０００６】
本発明はこのような課題に鑑みなされたものであり、使い捨てカイロによる低温やけどを防止できることに加え、身体を部分的に冷却する際にも使用することができるサポーターを提供することを目的とする。
【課題を解決するための手段】
【０００７】
かくして、本発明によれば、内側生地部分と外側生地部分との二重構造部分を有するサポーター本体と、前記内側生地部分と前記外側生地部分との間のスペースに収納された発泡樹脂粒子と、携帯用加熱または冷却源を収納可能なように前記内側生地部分または前記外側生地部分に設けられたポケットとを備えたサポーターが提供される。
【発明の効果】
【０００８】
携帯用加熱源として使い捨てカイロを使用する場合、本発明のサポーターは外側生地部分にポケットが設けられる。これにより、本発明のサポーターを直に着用した使用者の身体と使い捨てカイロとの間は外側生地部分と発泡樹脂粒子と内側生地部分とによって隔てられることとなる。特に、外側生地部分と内側生地部分の間のスペースに設けられた発泡樹脂粒子の内部構造は無数の気泡を有するものであるため、使い捨てカイロの熱を十分に緩和して使用者の身体に伝達することができる。よって、例えば、このサポーターを使用者の腰に装着した場合には、低温やけどを防止しながら腰を温めて慢性的な腰痛や生理痛等を緩和することができる。
【０００９】
また、本発明のサポーターは、携帯用冷却源として保冷剤を保持することも可能である。この場合、本発明のサポーターは内側生地部分にポケットが設けられる。これにより、本発明のサポーターを直に着用した使用者の身体と保冷剤との間はポケットの生地によってのみ隔てられることとなるため、保冷剤によって使用者の身体を効果的に冷却することができる。よって、例えば、このサポーターを使用者の腰に装着した場合には、ぎっくり腰といった急性の腰痛に対処することができる。
【００１０】
また、使い捨てカイロを使用する場合と保冷剤を使用する場合において、本発明のサポーターは同じものを用いることができる。つまり、ポケットを有する外側生地部分を内側へ反転させれば使い捨てカイロ収納用ポケットを保冷剤収納用ポケットに変えることができ、この逆も可能である。よって、本発明のサポーターは、使い捨てカイロによる低温やけどを防止できることに加え、身体を冷却する際にも使用することができる。
【００１１】
このように用いることができる本発明のサポーターには発泡樹脂粒子が用いられているため、使用者はサポーターを装着したときの異物感を受けることなくフィット感を得ることができ、通気性も良好である。また、サポーターを装着したときの着圧によって発泡樹脂粒子の分散度合いが変わるため、着圧の調整によって部分的に発泡樹脂粒子の層厚を調整することができる。
なお、発泡樹脂粒子の代わりに発泡樹脂プレートを用いた場合、異物感を受ける、フィット感および通気性が得られない、厚み調整ができず過剰保温となりやすい等の不具合が生じる。
【００１２】
なお、本発明のサポーターは、前記のように外側生地部分のポケットに使い捨てカイロを収納し、内側生地部分のポケットに保冷剤を収納することができるものであるが、この使用方法に限定されるものではない。例えば、厚手の下着の上から本発明のサポーターを装着する場合は、内側生地部分のポケットに使い捨てカイロを収納してもよい。また、外側生地部分のポケットに保冷剤を収納したサポーターを装着することにより身体への冷却温度を緩和するようにしてもよい。また、携帯用加熱または冷却源をポケットに収納することなく本発明のサポーターを使用してもよい。
【図面の簡単な説明】
【００１３】
【図１（Ａ）】本発明のサポーターの実施形態１を示す斜視図である。
【図１（Ｂ）】実施形態１のサポーターの使用状態での側断面図である。
【図２（Ａ）】本発明のサポーターの実施形態２を示す斜視図である。
【図２（Ｂ）】実施形態２のサポーターの使用状態での側断面図である。
【図３（Ａ）】本発明のサポーターの実施形態３を示す斜視図である。
【図３（Ｂ）】実施形態３のサポーターの使用状態での側断面図である。
【図４（Ａ）】本発明のサポーターの実施形態４を示す斜視図である。
【図４（Ｂ）】実施形態４のサポーターの使用状態での側断面図である。
【図５（Ａ）】本発明のサポーターの実施形態５を示す斜視図である。
【図５（Ｂ）】実施形態５のサポーターの使用状態での側断面図である。
【図６（Ａ）】本発明のサポーターの実施形態６を示す斜視図である。
【図６（Ｂ）】実施形態６のサポーターの使用状態での側断面図である。
【図７】実施形態７のサポーターの使用状態を示す説明図である。
【図８】実施形態８のサポーターの使用状態を示す説明図である。
【図９】実施形態９のサポーターを示す斜視図である。
【図１０（Ａ）】実施形態９のサポーターのパッドの一部断面側面図である。
【図１０（Ｂ）】実施形態９のサポーターの他のパッドの一部断面側面図である。
【図１０（Ｃ）】実施形態９のサポーターの別のパッドの一部断面側面図である。
【発明を実施するための形態】
【００１４】
本発明のサポーターは、内側生地部分と外側生地部分との二重構造部分を有するサポーター本体と、前記内側生地部分と前記外側生地部分との間のスペースに収納された発泡樹脂粒子と、携帯用加熱または冷却源を収納可能なように前記内側生地部分または前記外側生地部分に設けられたポケットとを備える。
ここで、本発明のサポーターは、具体的には、人の額、首、肩、上腕、肘、前腕、手首、手の甲、胸、背中、腹、腰、太股、膝、臑、脹ら脛、足首または足の甲をサポート可能に構成されたものとすることができる。
【００１５】
本発明のサポーターは次のように構成されてもよく、それらが適宜組み合わされてもよい。
（１）前記発泡樹脂粒子を袋体内に密封して形成したパッドを備えると共に、前記内側生地部分と前記外側生地部分との間のスペースが前記パッドを出し入れ可能な別のポケットとして形成されていてもよい。
このようにすれば、発泡樹脂粒子の充填量を異ならせた複数種類のパッドを用意することにより、次のように体感温度を調整することができる。つまり、使い捨てカイロをサポーターのポケットに収納して身体を温める際に、内側生地部分と外側生地部分との間の別のポケットに収めるパッドを充填量の多いものにすると使い捨てカイロの熱の身体への伝導性が低くなるため、使い捨てカイロの温度が高いと感じる使用者に好適である。また、使い捨てカイロの温度が徐々に低下すれば、充填量の低いパッドに交換して好みの体感温度が維持されるようにすることができる。
【００１６】
（２）前記内側生地部分と前記外側生地部分とが１枚の生地からなってもよい。
この場合、例えば、額、首、上腕、肘、前腕、手首、太股、膝、臑、脹ら脛、足首といった部位に装着する単純な筒形構造のサポーターを製造するのに適している。なお、内側生地部分と前記外側生地部分とを２枚の生地で構成してもよい。
【００１７】
（３）前記内側生地部分の一部に前記外側生地部分全体が縫い付けられ、かつ前記外側生地部分に前記ポケットが設けられてもよい。あるいは、前記外側生地部分の一部に前記内側生地部分全体が縫い付けられ、かつ前記内側生地部分に前記ポケットが設けられてもよい。
このようにすれば、サポーター本体におけるポケットが配置された部分のみを二重構造部分とし、発泡樹脂粒子の使用量を必要最小限に抑えることができる。
【００１８】
（４）前記ポケットの開口部に面ファスナーが設けられていてもよい。
このようにすれば、サポーターを装着した使用者が身体を動かしてもポケットに収納した携帯用加熱または冷却源が不意に飛び出すことがない。
【００１９】
以下、図面を参照しながら本発明のサポーターの実施形態について詳説する。
【００２０】
（実施形態１）
図１（Ａ）は本発明のサポーターの実施形態１を示す斜視図であり、図１（Ｂ）は実施形態１のサポーターの使用状態での側断面図である。
このサポーター１００は、腰用のサポーターであって、内側生地部分１０１ａと外側生地部分１０１ｂとの二重構造部分１０１ｘを有するサポーター本体１０１と、内側生地部分１０１ａと外側生地部分１０１ｂとの間に収納された発泡樹脂粒子１０２と、携帯用熱源を収納可能なように外側生地部分１０１ｂに設けられたポケット１０３とを備える。
【００２１】
内側生地部分１０１ａは、使用者の腰をサポートできる長さおよび幅を有する帯形生地からなる。この内側生地部分１０１ａには、例えば、ストレッチ試験で３０〜３００％の伸縮性を有する生地、具体的には、弾性を有するスパンデックス（ポリウレタン弾性糸）を用いることができる。
【００２２】
また、内側生地部分１０１ａの長手方向の両端部には面ファスナー１０４が設けられており、内側生地部分１０１ａの一端部と他端部とを連結分離可能としている。実施形態１の場合、内側生地部分１０１ａの一端部の一面側に面ファスナー１０４のループ状繊維面部１０４ａが設けられ、内側生地部分１０１ａの他端部の他面側に面ファスナー１０４のフック状繊維面部１０４ｂが設けられた場合を例示している。なお、面ファスナー１０４の代わりにファスナーを用いてもよい。
【００２３】
外側生地部分１０１ｂは、内側生地部分１０１ａの片面であって長手方向の中間部に全周囲を縫い付けられた矩形の生地からなる。この外側生地部分１０１ｂには内側生地部分１０１ａと同じ生地を用いることができる。なお、内側生地部分１０１ａに外側生地部分１０１ｂを縫い付ける際、内側生地部分１０１ａと外側生地部分１０１ｂとの間に発泡樹脂粒子１０２を充填するための充填口を形成しておき、充填後に充填口を縫製により封止する。
【００２４】
発泡樹脂粒子１０２としては、例えば、平均粒子径０．３〜３．０ｍｍ程度の微小な発泡ポリスチレン系樹脂粒子を用いることができる。
【００２５】
ポケット１０３は、上方開口部１０３ａを形成するよう外側生地部分１０１ｂに縫い付けられた矩形の生地からなる。このポケット１０３も内側生地部分１０１ａと同じ生地を用いることができる。
【００２６】
このように構成された実施形態１のサポーター１００を使用する際は、ポケット１０３に携帯用加熱源としての使い捨てカイロＫを収納し、使い捨てカイロＫ側とは反対の発泡樹脂粒子１０２側の内側生地部分１０１ａを使用者の腰Ｗに直に当てるようにサポーター１００を巻き、腹側でループ状繊維面部１０４ａとフック状繊維面部１０４ｂとを面接触させて結合させて装着する。なお、下着の上からサポーター１００を巻いてもよい。
【００２７】
このように装着したサポーター１００によれば、使い捨てカイロＫの熱が発泡樹脂粒子１０２を介して使用者の腰Ｗに伝わるため、腰Ｗに伝わる熱の温度は、サポーター１００を長時間（例えば、８時間以上）着用しても低温やけどを発症しない程度の温度（例えば、３８〜４２℃程度）となる。したがって、使い捨てカイロＫを保持したサポーター１００によって、例えば、慢性的な腰痛や生理痛等の緩和効果が期待でき、低温やけどを発症する心配もない。
【００２８】
（実施形態２）
図２（Ａ）は本発明のサポーターの実施形態２を示す斜視図であり、図２（Ｂ）は実施形態２のサポーターの使用状態での側断面図である。なお、図２（Ａ）および（Ｂ）において、図１（Ａ）および（Ｂ）中の要素と同様の要素には同一の符号を付している。
【００２９】
このサポーター２００も、腰用のサポーターであって、内側生地部分２０１ａと外側生地部分２０１ｂとの二重構造部分２０１ｘを有するサポーター本体２０１と、内側生地部分２０１ａと外側生地部分２０１ｂとの間に収納された発泡樹脂粒子１０２と、携帯用熱源を収納可能なように内側生地部分２０１ａに設けられたポケット２０３とを備える。この場合、外側生地部分２０１ｂがサポーター本体２０１の全体的なサイズに構成される。  さらに、外側生地部分２０１ａの長手方向の両端部には面ファスナー１０４が設けられている。なお、サポーター本体２０１を構成する生地は実施形態１と同様である。
【００３０】
このように構成された実施形態２のサポーター２００を使用する際は、ポケット２０３に携帯用冷却源としての冷却済みの保冷剤Ｃ（市販の袋入り保冷剤）を収納し、発泡性樹脂粒子とは反対の保冷剤Ｃ側のポケット２０３を使用者の腰Ｗに直に当てるようにサポーター２００を巻き、腹側でループ状繊維面部１０４ａとフック状繊維面部１０４ｂとを面接触させて結合させて装着する。なお、下着の上からサポーター２００を巻いてもよい。
【００３１】
このように装着したサポーター２００によれば、使用者の腰Ｗの熱がポケット２０３のみを介して保冷剤Ｃに吸収されるため、腰Ｗを効果的に冷却することができる。したがって、保冷剤Ｃを保持したサポーター２００によって、例えば、ぎっくり腰といった急性の腰痛の緩和効果が期待できる。この場合、発泡樹脂粒子１０２は、外気による保冷剤Ｃの温度上昇を抑制するために機能する。
【００３２】
なお、実施形態２のサポーター２００は、実施形態１のサポーター１００と同様の構成であり、実施形態１のサポーター１００のポケット１０３を腰に当てるように装着することで、実施形態２のサポーター２００として使用することが可能である。
【００３３】
（実施形態３）
図３（Ａ）は本発明のサポーターの実施形態３を示す斜視図であり、図３（Ｂ）は実施形態３のサポーターの使用状態での側断面図である。
このサポーター３００は、右および左足首兼用のサポーターであって、内側生地部分３０１ａと外側生地部分３０１ｂとの二重構造部分３０１ｘを有するサポーター本体２０１と、内側生地部分３０１ａと外側生地部分３０１ｂとの間に収納された発泡樹脂粒子３０２と、携帯用加熱または冷却源を収納可能なように外側生地部分３０１ｂに設けられたポケット３０３とを備える。
【００３４】
内側生地部分３０１ａは、使用者の足首をサポートできる筒形生地からなり、踵対応部分に穴が形成されている。
外側生地部分３０１ｂは、内側生地部分１０１ａの足首対応部分の外面に全周囲を縫い付けられた矩形の生地からなる。
ポケット３０３は、上方開口部３０３ａを形成するよう外側生地部分３０１ｂに縫い付けられた矩形の生地からなる。
なお、サポーター本体３０１を構成する生地および発泡樹脂粒子３０２は、実施形態１と同じものを用いることができる。
【００３５】
このように構成された実施形態３のサポーター３００を足首Ａに装着した後、ポケット３０３に携帯用加熱源としての使い捨てカイロＫを収納する。
このように装着したサポーター３００によれば、使い捨てカイロＫの熱が発泡樹脂粒子３０２を介して使用者の足首Ａに伝わるため、足首Ａに伝わる熱の温度は、サポーター３００を長時間（例えば、８時間以上）着用しても低温やけどを発症しない程度の温度（例えば、３８〜４２℃程度）となる。したがって、例えば、寒冷時に戸外で行う作業、フィッシングやスキー等のスポーツ、スポーツ観戦等に際して、使い捨てカイロＫを保持したサポーター３００を装着することで足首Ａ付近が暖まり、足下の冷えを緩和することができる。
【００３６】
（実施形態４）
図４（Ａ）は本発明のサポーターの実施形態４を示す斜視図であり、図４（Ｂ）は実施形態４のサポーターの使用状態での側断面図である。なお、図４（Ａ）および（Ｂ）において、図２（Ａ）および（Ｂ）中の要素と同様の要素には同一の符号を付している。
【００３７】
このサポーター４００も、足首用のサポーターであって、内側生地部分４０１ａと外側生地部分４０１ｂとの二重構造部分４０１ｘを有するサポーター本体４０１と、内側生地部分４０１ａと外側生地部分４０１ｂとの間に収納された発泡樹脂粒子３０２と、携帯用加熱または冷却源を収納可能なように外側生地部分４０１ｂに設けられたポケット４０３とを備える。この場合、外側生地部分４０１ｂがサポーター本体４０１の全体的なサイズに構成される。なお、サポーター本体４０１を構成する生地は実施形態３と同様である。
【００３８】
このように構成された実施形態４のサポーター４００を使用する際は、ポケット４０３に携帯用冷却源としての冷却済みの保冷剤Ｃを収納したサポーター４００を足首Ａに装着する。
このように装着したサポーター４００によれば、使用者の足首Ａの熱がポケット４０３のみを介して保冷剤Ｃに吸収されるため、例えば、足首Ａを効果的に冷却することができる。したがって、保冷剤Ｃを保持したサポーター４００によってねんざした足首Ａを効果的に冷却することができる。この場合、発泡樹脂粒子３０２は、外気による保冷剤Ｃの温度上昇を抑制するために機能する。
【００３９】
なお、実施形態４のサポーター４００は、実施形態３のサポーター３００を裏返した構成と同じ構成であるため、実施形態３のサポーター３００を裏返して装着することで、実施形態４のサポーター４００として使用することが可能である。
【００４０】
（実施形態５）
図５（Ａ）は本発明のサポーターの実施形態５を示す斜視図であり、図５（Ｂ）は実施形態５のサポーターの使用状態での側断面図である。
このサポーター５００は、右手首用のサポーターであって、内側生地部分５０１ａと外側生地部分５０１ｂとの二重構造部分５０１ｘを有するサポーター本体５０１と、内側生地部分５０１ａと外側生地部分５０１ｂとの間に収納された発泡樹脂粒子５０２と、携帯用加熱または冷却源を収納可能なように外側生地部分５０１ｂに設けられたポケット５０３と、ポケット５０３の開口部５０３ａに設けられたループ状繊維面部５０４ａおよびフック状繊維面部５０４ｂからなる面ファスナー５０４とを備える。
【００４１】
内側生地部分５０１ａは、使用者の右手首をサポートできる筒形生地からなり、親指対応部分に穴が形成されている。
外側生地部分５０１ｂは、内側生地部分５０１ａの手の甲から手首に亘る部分の外面に全周囲を縫い付けられた矩形の生地からなる。
ポケット５０３は、開口部５０３ａを形成するよう外側生地部分５０１ｂに縫い付けられた矩形の生地からなる。
なお、サポーター本体５０１を構成する生地および発泡樹脂粒子５０２は、実施形態１と同じものを用いることができる。
【００４２】
このように構成された実施形態５のサポーター５００を右手首Ｓｒに装着した後、ポケット５０３に携帯用加熱源としての使い捨てカイロＫを収納し、面ファスナー５０４で開口部５０３ａを閉じる。
このように装着したサポーター５００によれば、使い捨てカイロＫの熱が発泡樹脂粒子５０２を介して使用者の右手首Ｓｒ付近に伝わるため、右手首Ｓｒ付近に伝わる熱の温度は、サポーター５００を長時間（例えば、８時間以上）着用しても低温やけどを発症しない程度の温度（例えば、３８〜４２℃程度）となる。したがって、例えば、寒冷時に戸外で行う作業、フィッシングやスキー等のスポーツ、スポーツ観戦等に際して、使い捨てカイロＫを保持したサポーター５００を装着することで右手首Ｓｒ付近が暖まって血行が促進し、手先の冷えが緩和される。なお、サポーター５００の上から手袋をはめれば効果が持続する。
【００４３】
このサポーター５００において、ポケット５０３とは反対側にもポケットを設けてもよい。このようにすれば、手首の内側の血管部分を効果的に温めることができる。
【００４４】
（実施形態６）
図６（Ａ）は本発明のサポーターの実施形態６を示す斜視図であり、図６（Ｂ）は実施形態６のサポーターの使用状態での側断面図である。なお、図６（Ａ）および（Ｂ）において、図５（Ａ）および（Ｂ）中の要素と同様の要素には同一の符号を付している。
【００４５】
このサポーター６００は、左手首用のサポーターであって、内側生地部分６０１ａと外側生地部分６０１ｂとの二重構造部分６０１ｘを有するサポーター本体６０１と、内側生地部分６０１ａと外側生地部分６０１ｂとの間に収納された発泡樹脂粒子５０２と、携帯用加熱または冷却源を収納可能なように内側生地部分６０１ａに設けられたポケット６０３と、ポケット６０３の開口部に設けられた面ファスナー６０４とを備える。この場合、外側生地部分６０１ｂがサポーター本体６０１の全体的なサイズに構成される。なお、サポーター本体６０１を構成する生地は実施形態５と同様である。
【００４６】
このように構成された実施形態６のサポーター６００を使用する際は、ポケット６０３に携帯用冷却源としての冷却済みの保冷剤Ｃを収納したサポーター６００を左手首Ｓｌに装着する。
このように装着したサポーター６００によれば、使用者の左手首Ｓｌ付近の熱がポケット６０３のみを介して保冷剤Ｃに吸収されるため、左手首Ｓｌ付近を効果的に冷却することができる。したがって、保冷剤Ｃを保持したサポーター６００によって、例えば、ねんざした左手首Ｓｌを効果的に冷却することができる。この場合、発泡樹脂粒子５０２は、外気による保冷剤Ｃの温度上昇を抑制するために機能する。
【００４７】
なお、実施形態６のサポーター６００は、実施形態５のサポーター５００を裏返した構成と同じ構成であるため、右手首用の実施形態５のサポーター５００を裏返して左手首Ｓｌに装着することで、実施形態６のサポーター６００として使用することが可能である。
【００４８】
（実施形態７）
図７は実施形態７のサポーターの使用状態を示す説明図である。
このサポーター７００は、両肩用のサポーターであって、内側生地部分７０１ａと外側生地部分７０１ｂとの二重構造部分７０１ｘを有するサポーター本体７０１と、内側生地部分７０１ａと外側生地部分７０１ｂとの間に収納された図示しない発泡樹脂粒子と、携帯用加熱または冷却源を収納可能なように外側生地部分７０１ｂに設けられたポケット７０３とを備える。
【００４９】
内側生地部分７０１ａは、使用者の両肩をサポートする丈の短い半袖形生地からなる。
外側生地部分７０１ｂは、内側生地部分７０１ａにおける両肩対応部分の外面に全周囲を縫い付けられた矩形の生地からなる。
ポケット７０３は、首側に開口部を形成するよう外側生地部分７０１ｂに縫い付けられた矩形の生地からなる。
なお、サポーター本体７０１を構成する生地および発泡樹脂粒子は、実施形態１と同じものを用いることができる。
【００５０】
このように構成された実施形態７のサポーター７００に頭および両腕を通して装着した後、各ポケット７０３に携帯用加熱源としての使い捨てカイロＫを収納する。
このように装着したサポーター７００によれば、使い捨てカイロＫの熱が発泡樹脂粒子を介して使用者の両肩に伝わるため、両肩に伝わる熱の温度は、サポーター７００を長時間（例えば、８時間以上）着用しても低温やけどを発症しない程度の温度（例えば、３８〜４２℃程度）となる。したがって、例えば、肩の血行を促進して肩こりによる痛みを緩和することができる。
【００５１】
（実施形態８）
図８は実施形態８のサポーターの使用状態を示す説明図である。
このサポーター８００も、両肩用のサポーターであって、内側生地部分８０１ａと外側生地部分８０１ｂとの二重構造部分を有するサポーター本体８０１と、内側生地部分８０１ａと外側生地部分８０１ｂとの間に収納された図示しない発泡樹脂粒子と、携帯用加熱または冷却源を収納可能なように内側生地部分８０１ａに設けられたポケット８０３とを備える。この場合、外側生地部分８０１ｂがサポーター本体８０１の全体的なサイズに構成される。なお、サポーター本体８０１を構成する生地は実施形態７と同様である。
【００５２】
このように構成された実施形態７のサポーター７００を使用する際は、各ポケット８０３に携帯用冷却源としての冷却済みの保冷剤Ｃを収納したサポーター８００に頭および両腕を通して装着する。
このように装着したサポーター８００によれば、使用者の両肩の熱がポケット８０３のみを介して保冷剤Ｃに吸収されるため、両肩を効果的に冷却することができる。したがって、保冷剤Ｃを保持したサポーター８００によって、例えば、練習後のピッチャーの両肩を効果的に冷却することができる。この場合、発泡樹脂粒子は、外気による保冷剤の温度上昇を抑制するために機能する。
【００５３】
なお、実施形態８のサポーター８００は、実施形態７のサポーター７００を裏返した構成と同じ構成であるため、実施形態７のサポーター７００を裏返して装着することで、実施形態８のサポーター８００として使用することが可能である。
【００５４】
（実施形態９）
図９は実施形態９のサポーターを示す斜視図である。また、図１０（Ａ）〜（Ｃ）は実施形態９のサポーターの厚さが異なる３種類のパッドの一部断面側面図である。
このサポーター９００は、円筒形の内側生地部分９０１ａおよび外側生地部分９０１ｂを有してなる二重構造部分と、二重構造部分の外周（外側生地部分９０１ｂの外周）を全面的に覆う複数のポケット９０３とを有するサポーター本体９０１を備える。なお、このポケット９０３には使い捨てカイロが収納される。
サポーター本体９０１において、二重構造部分は周方向に複数区画されて形成された別の複数のポケット９０１ｃになっており、このポケット９０１ｃには後述するパッド９０４が収納される。
【００５５】
図１０（Ａ）〜（Ｃ）に示すように、パッド９０４は、発泡樹脂粒子９０２を袋体９０４ａ内に密封することにより形成されている。また、パッド９０４は、発泡樹脂粒子９０２の充填量が異なる複数タイプが用意されている。例えば、図１０（Ａ）に示すパッド９０４Ａは発泡樹脂粒子９０２の直径の２倍程度の厚さ（１〜２ｍｍ程度）を有する薄型であり、図１０（Ｂ）に示すパッド９０４Ｂは発泡樹脂粒子９０２の直径の６倍程度の厚さ（５〜６ｍｍ程度）を有する標準型であり、図１０（Ｃ）に示すパッド９０４Ｃは発泡樹脂粒子９０２の直径の１０倍程度の厚さ（９〜１０ｍｍ程度）を有する厚型である。
【００５６】
実施形態９のサポーター９００を腹に巻いた使用者は、通常は標準型のパッド９０４Ｂを選択して各ポケット９０１ｃに収納した上で、各ポケット９０３に使い捨てカイロを収納して使用するが、使い捨てカイロの熱を熱いと感じる場合は、一部乃至全てのパッド９０４Ｂを厚型のパッド９０４Ｃに交換することができる。そして、使い捨てカイロの温度が徐々に低下すれば標準型のパッド９０４Ｂに戻し、使い捨てカイロの温度がさらに低下すれば薄型のパッド９０４Ａに交換することができる。このように、使用者は好みの厚さのパッド９０４を選択して使用することにより、使い捨てカイロから受ける体感温度を調整することができる。
【００５７】
なお、このサポーター９００は、使用者が腰を冷却したい場合は、内側のポケット９０１ｃに保冷剤を収納して使用することもできる。
【００５８】
（他の実施形態）
１．実施形態１、２、３、４、７、８および９において、実施形態５および６と同様に、ポケットの開口部に面ファスナーを設けてもよい。
２．二重構造部分に発泡樹脂粒子が充填され、かつ二重構造部分の外面にポケットが設けられた本発明のサポーターは、実施形態１〜８以外にも、額、首、肩、上腕、肘、前腕、手の甲、胸、背中、太股、膝、臑、脹ら脛および足の甲のサポーターとしても応用することができる。
【００５９】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００６０】
１００、２００、３００、４００、５００、６００、７００、８００、９００：サポーター
１０１、２０１、３０１、４０１、５０１、６０１、７０１、８０１、９０１：サポーター本体
１０１ａ、２０１ａ、３０１ａ、４０１ａ、５０１ａ、６０１ａ、７０１ａ、８０１ａ、９０１ａ：内側生地部分
１０１ｂ、２０１ｂ、３０１ｂ、４０１ｂ、５０１ｂ、６０１ｂ、７０１ｂ、８０１ｂ、９０１ｂ：外側生地部分
１０１ｘ、２０１ｘ、３０１ｘ、４０１ｘ、５０１ｘ、６０１ｘ、７０１ｘ：二重構造部分
１０２、３０２、５０２、９０２：発泡樹脂粒子
１０３、２０３、３０３、４０３、５０３、６０３、７０３、８０３、９０３：ポケット
１０４、５０４、６０４：面ファスナー
９０１ｃ：ポケット
９０４：パッド
Ｃ：保冷剤（冷却源）
Ｋ：使い捨てカイロ（加熱源）
【図１（Ａ）】
2017166098.tif 000003
【図１（Ｂ）】
2017166098.tif 000004
【図２（Ａ）】
2017166098.tif 000005
【図２（Ｂ）】
2017166098.tif 000006
【図３（Ａ）】
2017166098.tif 000007
【図３（Ｂ）】
2017166098.tif 000008
【図４（Ａ）】
2017166098.tif 000009
【図４（Ｂ）】
2017166098.tif 000010
【図５（Ａ）】
2017166098.tif 000011
【図５（Ｂ）】
2017166098.tif 000012
【図６（Ａ）】
2017166098.tif 000013
【図６（Ｂ）】
2017166098.tif 000014
【図７】
2017166098.tif 000015
【図８】
2017166098.tif 000016
【図９】
2017166098.tif 000017
【図１０（Ａ）】
2017166098.tif 000018
【図１０（Ｂ）】
2017166098.tif 000019
【図１０（Ｃ）】
2017166098.tif 000020
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
内側生地部分と外側生地部分との二重構造部分を有するサポーター本体と、前記内側生地部分と前記外側生地部分との間のスペースに収納された発泡樹脂粒子と、携帯用加熱または冷却源を収納可能なように前記外側生地部分または前記内側生地部分に設けられたポケットとを備え、
前記サポーター本体が、着用者の体の部位を外部に露出させる３つまたは４つの孔部を有し、前記内側生地部分を外側へ裏返して使用可能にかつ前記内側生地部分を外側へ裏返す前と後の前記サポーター本体の形状が同一となる筒形形状に形成されたことを特徴とするサポーター。
【請求項２】
前記発泡樹脂粒子を袋体内に密封して形成したパッドを備えると共に、前記内側生地部分と前記外側生地部分との間のスペースが前記パッドを出し入れ可能な別のポケットとして形成されている請求項１に記載のサポーター。
【請求項３】
前記内側生地部分と前記外側生地部分とが１枚の生地からなる請求項１または２に記載のサポーター。
【請求項４】
前記内側生地部分の一部に前記外側生地部分全体が縫い付けられ、かつ前記外側生地部分に前記ポケットが設けられている請求項１または２に記載のサポーター。
【請求項５】
前記外側生地部分の一部に前記内側生地部分全体が縫い付けられ、かつ前記内側生地部分に前記ポケットが設けられている請求項１または２に記載のサポーター。
【請求項６】
前記ポケットの開口部に面ファスナーが設けられている請求項１〜５のいずれか１つに記載のサポーター。
【請求項７】
前記サポーター本体は、右または左の脹ら脛、踵およびつま先を外部に露出させる前記３つの孔部を有し、足首をサポートするように構成された請求項１〜６のいずれか１つに記載のサポーター。
【請求項８】
前記サポーター本体は、右または左の腕、手の親指および手の親指を除く四指を外部に露出させる前記３つの孔部を有し、手首をサポートするように構成された請求項１〜６のいずれか１つに記載のサポーター。
【請求項９】
前記サポーター本体は、首、右腕、左腕および胴体を外部に露出させる前記４つの孔部を有し、左右両肩をサポートするように構成された請求項１〜６のいずれか１つに記載のサポーター。
【手続補正２】
【補正対象書類名】明細書
【補正対象項目名】０００７
【補正方法】変更
【補正の内容】
【０００７】
かくして、本発明によれば、内側生地部分と外側生地部分との二重構造部分を有するサポーター本体と、前記内側生地部分と前記外側生地部分との間のスペースに収納された発泡樹脂粒子と、携帯用加熱または冷却源を収納可能なように前記外側生地部分または前記内側生地部分に設けられたポケットとを備え、
前記サポーター本体が、着用者の体の部位を外部に露出させる３つまたは４つの孔部を有し、前記内側生地部分を外側へ裏返して使用可能にかつ前記内側生地部分を外側へ裏返す前と後の前記サポーター本体の形状が同一となる筒形形状に形成されたサポーターが提供される。
【手続補正３】
【補正対象書類名】明細書
【補正対象項目名】００１４
【補正方法】変更
【補正の内容】
【００１４】
本発明のサポーターは、内側生地部分と外側生地部分との二重構造部分を有するサポーター本体と、前記内側生地部分と前記外側生地部分との間のスペースに収納された発泡樹脂粒子と、携帯用加熱または冷却源を収納可能なように前記外側生地部分または前記内側生地部分に設けられたポケットとを備え、
前記サポーター本体が、着用者の体の部位を外部に露出させる３つまたは４つの孔部を有し、前記内側生地部分を外側へ裏返して使用可能にかつ前記内側生地部分を外側へ裏返す前と後の前記サポーター本体の形状が同一となる筒形形状に形成されている。
ここで、本発明のサポーターは、具体的には、人の肩、手首、手の甲、足首、足の甲等をサポート可能に構成されたものとすることができる。
【手続補正４】
【補正対象書類名】明細書
【補正対象項目名】００１６
【補正方法】変更
【補正の内容】
【００１６】
（２）前記内側生地部分と前記外側生地部分とが１枚の生地からなってもよい。
この場合、例えば、手首、手の甲、足首、足の甲といった部位に装着する単純な筒形構造のサポーターを製造するのに適している。なお、内側生地部分と前記外側生地部分とを２枚の生地で構成してもよい。
【手続補正５】
【補正対象書類名】明細書
【補正対象項目名】００２０
【補正方法】変更
【補正の内容】
【００２０】
（実施形態１：参考例１）
図１（Ａ）は本発明のサポーターの実施形態１を示す斜視図であり、図１（Ｂ）は実施形態１のサポーターの使用状態での側断面図である。
このサポーター１００は、腰用のサポーターであって、内側生地部分１０１ａと外側生地部分１０１ｂとの二重構造部分１０１ｘを有するサポーター本体１０１と、内側生地部分１０１ａと外側生地部分１０１ｂとの間に収納された発泡樹脂粒子１０２と、携帯用熱源を収納可能なように外側生地部分１０１ｂに設けられたポケット１０３とを備える。
【手続補正６】
【補正対象書類名】明細書
【補正対象項目名】００２８
【補正方法】変更
【補正の内容】
【００２８】
（実施形態２：参考例２）
図２（Ａ）は本発明のサポーターの実施形態２を示す斜視図であり、図２（Ｂ）は実施形態２のサポーターの使用状態での側断面図である。なお、図２（Ａ）および（Ｂ）において、図１（Ａ）および（Ｂ）中の要素と同様の要素には同一の符号を付している。
【手続補正７】
【補正対象書類名】明細書
【補正対象項目名】００５４
【補正方法】変更
【補正の内容】
【００５４】
（実施形態９：参考例３）
図９は実施形態９のサポーターを示す斜視図である。また、図１０（Ａ）〜（Ｃ）は実施形態９のサポーターの厚さが異なる３種類のパッドの一部断面側面図である。
このサポーター９００は、円筒形の内側生地部分９０１ａおよび外側生地部分９０１ｂを有してなる二重構造部分と、二重構造部分の外周（外側生地部分９０１ｂの外周）を全面的に覆う複数のポケット９０３とを有するサポーター本体９０１を備える。なお、このポケット９０３には使い捨てカイロが収納される。
サポーター本体９０１において、二重構造部分は周方向に複数区画されて形成された別の複数のポケット９０１ｃになっており、このポケット９０１ｃには後述するパッド９０４が収納される。